Podtech/llm-jp-corpus-v4-ja_patent huggingface dataset:
(57)【要約】【課題】  複雑な工程を経ることなく、紫外線を照射せずに光触媒機能を持たせる材料を提供することを目的とする。【解決手段】ラジウム５〜１０（重量）％と二酸化チタン９０〜９５（重量）を混練し、その後水ガラスを加え混練し、前期混練した材料を７００〜９５０℃で仮焼した後粉砕し、得られた粉砕物にアパタイトを０．１〜９９％(外数)添加焼成温度を２５０〜４００℃してなる光触媒効果を有する材料。【選択図】  なし【特許請求の範囲】
【請求項１】
ラジウム５〜１０（重量）％と二酸化チタン９０〜９５（重量）を混練し、その後水ガラスを加え混練し、前期混練した材料を７００〜９５０℃仮焼した後粉砕し、得られた粉砕物に外数で０．１〜９９(重量)％アパタイトを添加し２５０〜４００℃で焼成してなる触媒効果を有する材料。
【発明の詳細な説明】
【技術分野】
【０００１】
本発明は防カビ，抗菌、有機物汚染を除去する環境浄化などに用いられる塗装材料や陶磁器等の防カビ，抗菌、有機物汚染を除去する環境浄化などに用いられる物を提供する材料に関する物である。
【背景技術】
【０００２】
生活必需品やトイレ、洗面所には防カビ並びに抗菌、消臭または防かび方法には酸化チタンが一般に用いられる。
【０００３】
しかしながら、一般に酸化チタンは光（紫外線）を照射なしでは活性効果を発揮せず、したがって、暗室では効果を発揮しない。これらを解決する手段として、酸化チタンに紫外線照射なしでも効果を発揮する金や銀を併用する手段が従来からある。
【０００４】
しかしこれでは前記効果が不十分であるので特許公開２００２−３０８７１２号では、四塩化チタンを水もしくはアルコール、または、それらの混合溶液を反応させて、リン酸チタニウム系化合物を得て光を照射しなくても活性効果を要する抗菌剤、妨カビ剤が開示されている。
【０００５】
【特許文献１】特許公開２００２−３０８７１２号公報
【発明の開示】
【発明が解決しようとする課題】
【０００６】
しかしながら前記した技術では、抗菌剤や妨カビ剤を得るには四塩化チタンを水もしくはアルコール、または、それらの混合溶液を反応させて、リン酸チタニウム系化合物を得るために複数の化学処理工程を経なければならない。
【０００７】
発明者らは前記した複雑な工程を経ることなく、紫外線や可視光線を照射せずに触媒機能を持たせる材料を提供することを目的とする。
【課題を解決するための手段】
【０００８】
ラジウム５〜１０（重量）％と二酸化チタン９０〜９５（重量）を混練し、その後水ガラスを加え混練し、前期混練した材料を７００〜９５０℃で仮焼した後粉砕し、得られた粉砕物にアパタイトを添加し２５０〜４００℃で焼成してなる触媒効果を有する材料。
ラジウム５〜１０（重量）％と二酸化チタン９０〜９５（重量）を仮焼した原材料にアパタイトを外数で０．１〜９９％である触媒効果を有する材料である。
【発明の効果】
【０００９】
光触媒機能を有する酸化チタンに微量放射線を放出するラジウム鉱石を組み合わせることで相乗効果により、紫外線を照射しなくても触媒効果を得ることができた。
【発明を実施するための最良の形態】
【００１０】
粒径が３〜２０ミクロンのラジウム５〜１０（重量）％と粉末の二酸化チタン９０〜９５（重量）を混合して均一の混合したことを見計らって、無機質の水ガラスを３〜５％（外数）加えさらに混練しペレット状にした。前期混練した材料を酸化雰囲気の炉に装入して７００〜９５０℃仮焼した。その後材料炉から取り出し冷却後に粉砕し、微粉末を得る。該粉砕物に０．１〜９９（重量）％の有機物を補足する粉末状のアパタイトを添加、混合し焼成してなる光触媒効果を有する材料である。
【００１１】
バインダーとして水ガラスを外数として３〜５％を加えるのは造粒性から規定した。水ガラス（ケイ酸ナトリウム）を使用したのはアラビアゴムなどの有機物のバインダーでは酸化チタンが有機物を分解する作用からバインダーの効果を消失するため水ガラスとしたが、無機質のバインダーであれば水ガラスに拘らない。
【００１２】
前記材料のアパタイト添加量はラジウム５〜１０（重量）％と二酸化チタン９０〜９５（重量）の原材料を焼成炉に装入、２時間保持し仮焼した。仮焼した原材料を７４ミクロン程度に微粉砕物にしその微粉砕物に対し０．１〜９９％加えるのである。アパタイトの添加量が０．１％以上であれば有機物を吸着する抗菌,防カビの性能を有する好ましくはアパタイトの添加量は１０％〜５０％（重量）もあればよい。
【００１３】
仮焼温度を７００〜９５０℃に定めたのは７００℃以下では温度が低く融合が上手く進まない、また９５０℃以上であるとラジウムの沸点近く放射線効果が低くなるからである。
さらに,前記粉砕物を得たのちにアパタイトをくわえ焼成する焼成温度が２５０℃以下では粉砕物との濡れ性が悪いので２５０℃にした。または４００℃以上に加熱するとアパタイトが持っている有機物吸着効果が変化して効果が薄れるためである。
【実施例】
【００１４】
光触媒効果を有する酸化チタンと微量放射線を放出するラジウム鉱石を組み合わせで相乗効果により触媒機能が増強された。
試験の方法はＪＩＳＲ１７０３−２「ファインセラミックスー光触媒のセルフクリーニング性能試験法―第２部」の規定に準じて湿式分解性能に基づいて行った。
具体的な手法は、触媒効果を有する材料を粉砕し１０５(メッシュ)の篩でふるい分け篩下の粉を白色、透明の２種類の水性ペイントにそれぞれ５％加え、基板であるタイル上に塗布を施した。高さ３０ｍｍで直径４０ｍｍの円筒の底部をグリス目止めをして、この円筒の中にメチルブルー水溶液を満たした。これにブラックライトで紫外線を照射する。照射によりメチルブルーが分解し色が薄くなるので、これを分光光度計で測定を行った。メチルブルーの吸光スペクトルのピークは６６４ｎｍにあるのでこのピークの吸光度の測定を行った。
【００１５】
酸化チタンとラジウム鉱石を混合してバインダーとして水ガラス５％(外数)加え、更に混合して９００℃仮焼した。この試料を微粉砕してシメチレンブルー溶液を浸した。試料が吸着したメチレンブルーの量を推定するために、試料を乾燥させ、その後試料の均一化を図るためにさらに粉砕して試料の測色色差計で色を測定した。その結果を表１に示す。
ＣＩＥのＬ＊は明度を示し、値が大きな程、白いことを示している。また白色に近いものの白色度の評価法としてテハンター白色度指標が用いられ、ＣＩＥＬabの値をハンター白色度に換算したものを表１に示す。
ラジウム鉱石を４，５，６，８，１０重量％加えた試料は白っぽく、ラジウム鉱石を含まない酸化チタンのみでは青いままであった。酸化チタンは紫外線を吸収して触媒効果を発揮するが紫外線を照射してないさらにラジウムを加えていな試料ではハンター白色度は小さく青味を帯びていた。
それに比してラジウム鉱石と酸化チタンを混合した試料では白色度が大きくなっている。
【００１６】
【表１】
2010036168.tif 000002
【産業上の利用可能性】
【００１７】
本発明はペイントに混合して塗布すると、アパタイトが吸着した有機物を触媒効果で分解する。本発明品を超微分にすると衣服、衛生器具、陶磁器等に用いられる。
また、土壌に混合すると紫外線が届かない地中深くでも触媒効果を発揮して地中の有害物を減少除去する環境保全剤としても利用できる。
(57)【要約】【課題】  プリザーブドフラワーに香りをぷらすできるためせっけんを利用したソープド・ザ・プリザーブドフラワーを提供する。【解決手段】  土台とする空洞のせっけん（１）のあな（２）にプリザーブドフラワーを差し込む。簡単で香りもぷらすできることを特徴とする。【選択図】図１
2010036571.tif 000002
【特許請求の範囲】
【請求項１】
プリザーブドフラワーの固定に石ケンをもちいたソープド・ザ・プリザーブドフラワー。
【発明の詳細な説明】
【技術分野】
【０００１】この発明はプリザーブドフラワーの土台にせっけんを利用したプリザーブドフラワーにかんするもである。
【背景技術】
【０００２】従来、プリザーブドフラワーはスポンジのようなサハラにさしてかざりつけている。
【発明の開示】
【発明が解決しようとする課題】
【０００３】これには次のような欠点があった。
（イ）プリザーブドフラワーはとてもきれいな花だが香りがない。
（ロ）飾りつけの土台にサハラを使うがそれがみえると美しさがそこなわれるのでみえないようなにしている。
本発明は、以上のような欠点をなくすためになされたものである。
【課題を解決するための手段】
【０００４】飾りつけのためのどだいにせっけんを使う。せっけんは形も模様も自由にできる。
星や月や丸や三角の模様などさまざまな穴をつくっておく。穴は差し込みと飾りを兼ねる。
バラの花とバラの香りのせっけんとの組み合せのなどの相乗効果がいきてくる。
ほかハーブやオレンジ、レモンなど多種多様なものができる。
【発明の効果】
【０００５】サハラだとごみにしかならない。せっけんだと廃油利用のうえせっけんとして最後までつかえる。
【発明を実施するための最良の形態】
【０００６】以下、本発明を実施するための最良の形態について説明する。
中を空洞、外側に丸や三角や星等色々な形の穴をあけた石鹸を作りプリザーブドフラワーの土台とする。
この土台はこれだけでも香りのある飾りとしてつかえるがこの穴を利用してプリザーブドフラワーを差し込む。
【図面の簡単な説明】
【０００７】
【図１】本発明の穴を丸にしたときの斜視図である。
【符号の説明】
【０００８】１    中が空洞のせっけん
２    丸の穴
【図１】
2010036571.tif 000003
(57)【要約】【課題】構造が簡単で部品点数の少ないアクティブヘッドレストの傾動機構を提供する。【解決手段】本発明によるアクティブヘッドレストの傾動機構は、ヘッドレストの後側部が取り付けられる固定ステーと、前記固定ステーに取り付けられる正転と逆転が可能なモータと、前記モータの回転が伝えられて回転するボールねじと、前記ボールねじのナットに連結される移動体と、前記移動体をガイドし、後方斜め下方から前方斜め上方に傾斜したレール体と、ヘッドレストの前側が取り付けられるとともに、前記移動体に連結されて斜め前後に移動可能な可動ステーと、が備えられる。【選択図】図１
2010036680.tif 000002
【特許請求の範囲】
【請求項１】
ヘッドレストの後側部が取り付けられる固定ステーと、
前記固定ステーに取り付けられる正転と逆転が可能なモータと、
前記モータの回転が伝えられて回転するボールねじと、
前記ボールねじのナットに連結される移動体と、
前記移動体をガイドし、後方斜め下方から前方斜め上方に傾斜したレール体と、
ヘッドレストの前側が取り付けられるとともに、前記移動体に連結されて斜め前後に移動可能な可動ステーと、が備えられることを特徴とするアクティブヘッドレストの傾動機構。
【発明の詳細な説明】
【技術分野】
【０００１】
本発明は、車両用シートのヘッドレストに係り、より詳細には、ヘッドレストを前側部と後側部で構成し、前側部を移動可能としたヘッドレスト機構に関する。
【背景技術】
【０００２】
特許文献１には、後続の車両が接近して、追突されるおそれがあることを検知すると、ヘッドレストと乗員の頭との距離を縮めるため、ヘッドレストを傾動させて前側上方押し出すＸリンク機構が示されている。Ｘリンク機構は、未使用の収納状態スペースを小さくできるものの、部品点数が多く複雑である。
【特許文献１】ＷＯ２００５／０７３０１９号公報
【発明の開示】
【発明が解決しようとする課題】
【０００３】
本発明の目的は、構造が簡単で、部品点数の少ないアクティブヘッドレストの傾動機構を提供することにある。
【課題を解決するための手段】
【０００４】
上記の目的を達成するため、本発明によるアクティブヘッドレストの傾動機構は、ヘッドレストの後側部が取り付けられる固定ステーと、前記固定ステーに取り付けられる正転と逆転が可能なモータと、前記モータの回転が伝えられて回転するボールねじと、前記ボールねじのナットに連結される移動体と、前記移動体をガイドし、後方斜め下方から前方斜め上方に傾斜したレール体と、ヘッドレストの前側が取り付けられるとともに、前記移動体に連結されて斜め前後に移動可能な可動ステーと、が備えられることを特徴とする。
【発明の効果】
【０００５】
本発明によれば、ヘッドレストの可動ステーを移動させる傾動機構が、モータ、ギア、ボールねじ、レール、移動体からなるので部品点数が少なくできる。また、ボールねじは、送り精度が高いので、正確な位置にヘッドレストを移動させることができる。ボールねじは、鋼球が内蔵されていて回転が軽く、モータに負担がかからない。レールを斜めに取り付けたので、ヘッドレストの前側部を斜め上方に傾動させて、乗員の頭部部を的確に受け止めることができる。
【発明を実施するための最良の形態】
【０００６】
以下、図面を参照して、本発明によるアクティブヘッドレストの傾動機構について説明する。
【実施例】
【０００７】
図１は、本発明によるアクティブヘッドレストの傾動機構の斜視図である。傾動機構１５は、シートバックフレームに連結される固定ステー１、固定ステー１に取り付けられるブラケット２、ブラケット２に取り付けられる正転と逆転が可能なモータ３、モータ３の回転を主動ギア８と従動ギア９を介して受けるボールねじ４、ブラケット２に取り付けられるレール体５、レール体５に係合されてボールねじ４の回転で前後に動く移動体６、移動体６に連結される可動ステー７からなる。
【０００８】
図２は、図１の内部を示す側面図である。モータ３の軸には主動ギア８が取り付けられ、主動ギア８が回転すると従動ギア９が回転し、回転がボールねじ４に伝えられる。ボールねじ４は、ナット１０が鋼球１３で螺合されている。ボールねじ４が回転すると、ナット１０は軽くまた滑らかに、正転か逆転に従って前方または後方に移動する。
【０００９】
図３は、図２のＡ−Ａ断面図である。移動体６は、ボールねじ４のナット１０に連結されて、左右のレール体５に係合している。移動体６の左右端には可動ステー７が取り付けられる。ボールねじ４が回転すればナット１０が動き、これにより移動体６が前後方向に動く。
【００１０】
図４は、図１の動作を説明する側面図である。アクティブヘッドレスト２０は、傾動機構１５が前側部１１と後側部１２で覆われたものである。（Ａ）はヘッドレスト２０の可動ステー７が、後方に位置している場合を示す。前側部１１と後側部１２の間の伸縮部は縮んだ状態にある。モータ３を回転してボールねじ４を回転させると、（Ｂ）に示すように、ヘッドレスト２０の可動ステー７が、前方に移動する。前側部１１と後側部１２の間の伸縮部は伸びた状態となる。モータ３を何回転させるかで可動ステー７の移動量を正確に決めることができる。モータ３を逆転させると可動ステー７は後方に移動する。レール体５は、後方斜め下方から前方斜め上方に傾斜して設けられる。これにより、可動ステー７を前方に移動させると、上端はＬ１に示す分だけ高くなる。これにより前側部１１は、追突された時、乗員頭部の頭を的確に受け止めることができる。
【産業上の利用可能性】
【００１１】
本発明による追突されそうになった場合に、乗員の頭とヘッドレストの距離を縮めて、追突による鞭打ち障害を軽減できるアクティブヘッドレストとして好適である。
【図面の簡単な説明】
【００１２】
【図１】本発明によるアクティブヘッドレストの傾動機構の斜視図である。（実施例１）
【図２】図１の内部を示す側面図である。（実施例１）
【図３】図２のＡ−Ａ断面図である。（実施例１）
【図４】図１の動作を表した側面図である。（Ａ）はアクティブヘッドレストの可動ステーが後方に位置している場合、（Ｂ）はアクティブヘッドレストの可動ステーが前方に移動した場合を示す。
【符号の説明】
【００１３】
１    固定ステー
２    ブラケット
３    モータ
４    ボールねじ
５    レール体
６    移動体
７    可動ステー
８    主動ギア
９    従動ギア
１０    ナット
１１    前側部
１２    後側部
１３    鋼球
１５    傾動機構
２０    アクティブヘッドレスト
【図１】
2010036680.tif 000003
【図２】
2010036680.tif 000004
【図３】
2010036680.tif 000005
【図４】
2010036680.tif 000006
(57)【要約】  【課題】  暗所で容易に視認でき、使い勝手が良好で、また、暗所で容易に視認させることができ、衝接事故の発生を比較的防ぐことのできる手押し運搬車を提供する。  【解決手段】  前、後各々一対の車輪２，２、２´，２´で支持させた荷台１の後端に操作ハンドル３を折り畳み自在に立設して構成する。そして、前記荷台１の前端側両隅部に、前端面１ａから側端面１ｃに渡る収納凹部７を設け、該収納凹部７に蓄光材４を収装する。【選択図】    図１
2010036715.tif 000002
【特許請求の範囲】
【請求項１】
前、後各々一対の車輪で支持させた荷台の後端に操作ハンドルを折り畳み自在に立設して構成した手押し運搬車において、前記荷台の前端側両隅部に、前端面から側端面に渡る収納凹部を設け、該収納凹部に蓄光材を収装した、手押し運搬車。
【発明の詳細な説明】
【技術分野】
【０００１】
本発明は、量販店や工場或いは物品の宅配時等で用いている手押し運搬車に関するものである。
【背景技術】
【０００２】
手押し運搬車は、具体例を挙げるまでもなく、前後各々一対の車輪（キャスター）で支持させた荷台の後端に操作ハンドルを立設して構成している（例えば、特許文献１）。
【０００３】
【特許文献１】実開昭６２−５６３７０号公報
【発明の開示】
【発明が解決しようとする課題】
【０００４】
夜間は勿論、工場や倉庫等の暗所での手押し運搬車の移動が視認しにくい場合があったり、或いは暗所に手押し運搬車を保管したり、暗所の保管先から取り出す際に支障を来たす場合があり、従前は、これらについて対処した手押し運搬車の提案はされていない。
【０００５】
本発明は、斯様な従来例に着目し、暗所で容易に視認でき、使い勝手が良好でまた、暗所で容易に視認させることができ、衝接事故の発生を比較的防ぐことのできる手押し運搬車を提供することを目的として創案したものである。
【課題を解決するための手段】
【０００６】
前、後各々一対の車輪で支持させた荷台の後端に操作ハンドルを折り畳み自在に立設して構成した手押し運搬車において、前記荷台の前端側両隅部に、前端面から側端面に渡る収納凹部を設け、該収納凹部に蓄光材を収装した構成としたものである。
【発明の効果】
【０００７】
本発明によれば、太陽や蛍光灯などの光を吸収して夜間や暗所で発行する蓄光材が発光して手押し運搬車を視認させることができるから、夜間、暗所等での暗いことを原因とした手押し運搬車との接触を未然に防ぐことのできる安全な手押し運搬車を提供できる。また、蓄光材は、荷台の前端面両側に配した態様を採るから荷台幅を認識させて前記の接触事故を尚一層防ぐことができると共に、暗所での保管作業からの取り出しに際しても有効であり、収納凹部に収装してあるから、衝撃による蓄光材の破損を防げ、従って、衝撃性の有る蓄光材付手押し運搬車を提供できる。
【実施例】
【０００８】
図面は、本発明に係る手押し運搬車の一実施例を示し、図１は正面図、図２は平面図、図３は一部拡大断面図である。
【０００９】
実施例の手押し運搬車Ａは、合成樹脂製の荷台１を前側の一対の自在車輪２，２と後側の一対の固定車輪２´，２´で受支させ、荷台１の後端に操作ハンドル３を折り畳み自在に立設して構成したものである。
【００１０】
この運搬車Ａの荷台１の前端側両隅部と後端側両隅部にそれぞれ蓄光材４をねじ５で装着してある。すなわち、前記荷台１の前、後の端面１ａ，１ｂから両側端面１ｃ，１ｃに渡ってゴム製（樹脂製でも良い）の弾性緩衝材６を装着し、該緩衝材６の表面に、前記前、後の端面１ａ，１ｂから両側端面１ｃ，１ｃに渡って収納凹部７を設け、該収納凹部７に前記蓄光材４を係合して前記緩衝材６とねじ５で同時に荷台１に装着してある。
【００１１】
実施例の場合は、荷台１に緩衝材６と収納凹部７に係合して該緩衝材６に重ね合わせた蓄光材４をねじ５を通してその先端を荷台１に設けたねじ穴８に螺合して締付けて、蓄光材４を緩衝材６の収納凹部７に収装し、かつ、荷台１に固定してあるが、その手段は接着手段でも不都合はなく、接着手段と実施例のような止着杆による止着手段を併用しても不都合はない。
【００１２】
なお、蓄光材５は、ストロンチウムとアルミニウムを主成分としてケイ素や硫黄などを混合して構成し、太陽や蛍光灯などの光を外部から充分に照射することにより、１０〜２０時間という長時間に亘って発光するものである。
【図面の簡単な説明】
【００１３】
【図１】正面図。
【図２】平面図。
【図３】一部拡大断面図。
【符号の説明】
【００１４】
１          荷台
２，２´    車輪
３          操作ハンドル
４          蓄光材
７          収納凹部
【図１】
2010036715.tif 000003
【図２】
2010036715.tif 000004
【図３】
2010036715.tif 000005
(57)【要約】【課題】キャスターは方向が定まらず思わぬ方向を向くことがあった。【解決手段】キャスターの垂直主軸に直角の方向にラジアルベアリング支持軸を設けそこにラジアルベアリングを挿入する。１つのラジアルベアリングで荷重をささえる。キャスター受部の直進方向に谷型部を設けラジアルベアリングがはまり込むことにより力学的直進性を持ったキャスターを提供する。【選択図】図１
2010036872.tif 000002
【特許請求の範囲】
【請求項１】
直進性キャスターの垂直主軸が主軸受け部によって回転自在に支持され主軸は上下移動する。垂直主軸に直角に固着されたラジアルベアリング支持軸に挿入されたラジアルベアリングの上端部とリング状の受けでささえる受け部の一部が谷型にへこみを形成することによりラジアルベアリングの上端が谷型部にはまり込むことで直進性を有するキャスター。
【請求項２】
請求項１のキャスターにおいて受け部が垂直平面に対して傾きを持つことで」直進方向性を有するキャスター。
【請求項３】
請求項２において受け部の傾きがアジャストでき傾きを調節することで、直進性の強さを調節できる直進性キャスター。
【発明の詳細な説明】
【技術分野】
【０００１】本発明はキャスターに係り方向自在でありながら一定の直進方向性をもつキャスターに関する。
【背景技術】
【０００２】キャスターはその性格上方向が定まらず土地の条件あるいは風などの外力により、思わぬ方向を向いてしまうものであった。
【発明の開示】
【発明が解決しようとする課題】
【０００３】キャスターが使用されている車椅子では方向が定まらない性格のため。
道路が、雨水の水はけのためわずかに傾いていたり点字ブロックがあったり、坂があったりすると意に反する方向にむいてしまい、障害者が、車椅子で外室するのは困難であった。
【課題を解決するための手段】
【０００４】直進性キャスターの垂直主軸が主軸受部によって回転自在に支持された主軸は上下移動する。垂直主軸に直角に固着されたラジアルベアリングとリング状の受けで支える受部の一部が谷型に凹みを形成することにより、ラジアルベアリングの上端部が谷型部にはまり込むことにより直進性を有する。【０００５】外部からの力がラジアルベアリングが谷型部へ食い込む力より大きいときラジアルベアリングは谷型部をはずれ向きを変えキャスターは外力を加えられた方向へ移動する。
【発明の効果】
【０００６】直進性キャスターは外部からの力がラジアルベアリングが谷型部へはまり込む力より大きいときラジアルベアリングは谷型部をはずれ向きを変えキャスターは外力を加えられた方向へ移動する。
キャスターは外力により左右自在に向きを変えられるが直進することが移動のメインである。【０００７】本発明は自転車のようにそれ自身で直進しようとする力学的力を発生させて地上の傾き点字ブロックの障害にも向きを変えず直進してキャスターの安全が向上する。
【発明を実施するための最良の形態】
【０００８】以下実施例にて説明する。
図１は直進性キャスターの断面図。
垂直主軸１は主軸受け部２により、回転自在で上下に移動できる。
キャスター受部６の水平高さは谷型部５が上方にあり荷重がかかれば谷型部５にラジアルベアリングははめこみやすい。【０００９】垂直主軸とベアリング支持軸と車輪尼取付部７は一体である。
車輪８の上部にラジアルベアリング３が位置する。【００１０】外力により谷型部５からはずれ直進性キャスターが左右に曲がる。
直進性キャスターが直進するようになると谷型部５にラジアルベアリング３がはまり込むような位置に谷型部を設ける。【００１１】直進力はラジアルベアリングにかかる荷重がおもいとより強くなり荷重が軽いと弱い力で谷型部５をラジアルベアリング３がはずれる。
図１の場合左が直進方向である。【００１２】図２は直進するキャスターを後ろから見た図。
キャスター受部６の一部にある谷型部５にラジアルベアリング３がはまり込み安定して直進している状態である。【００１３】車椅子に直進性キャスターを使った場合、右に回ろうと外力を加えるとラジアルベア３リングは谷型部５からはずれ左側のキャスター受部６にころがる。
このときキャスター受部６は落差Ａだけ持ち上がる。
車椅子が再び直進するとラジアルベアリングは谷型部５に位置し谷型部５にはまりこみ安定する。【００１４】重荷重用の場合はラジアルベアリングをニードルローラーベアリングにするとよい。
【産業上の利用可能性】
【００１５】身障者で片側の腕しか動かせない人でも直進性キャスターの車椅子なら直進が可能である。
右側の腕しか動かせないひとが右に曲がる時は左車輪のブレーキを右手でかけ、右車輪を後退させる。
するとキャスターは右を向き車椅子は右を向く。
つぎに、左車輪のブレーキをはずし前進すると。
重荷重用の場合はラジアルベアリングをニードルローラーベアリングにするとよい。【００１６】車椅子は直進しながらラジアルベアリングが谷型部にはまりこむ。
そのまま、静かに前進すれば右手だけで直進する。
本発明で片腕しか動かせない人が車椅子で左右に曲がり直進できる。
身障者が一人で外に出られるようになり有益である。
【図面の簡単な説明】
【００１７】
【図１】直進性キャスターの断面図
【図２】直進するキャスターを後ろから見た図
【符号の説明】
【００１８】１        垂直主軸
２        主軸受部
３        ラジアルベアリング
４        ベアリング支持軸
５        谷型部
６        キャスター受部
７        車輪尼取付
８        車輪
【図１】
2010036872.tif 000003
【図２】
2010036872.tif 000004
(57)【要約】【課題】地球温暖化を止めることを目的とした装置を提供すること。【解決手段】地球１の周りに調光材２等を置き、太陽３から地球１に届く光を弱めることで達成する。【選択図】図１
2010036879.tif 000002
【特許請求の範囲】
【請求項１】
地球１の周りに調光材２を置きそれを回転させておき、入ってくる太陽３からの光を弱めることによって地球温暖化を止めることを目的とする装置。
【請求項２】
地球１の周りにコロイド溶液をガラス等で閉じたこめたものを置き、それにより太陽３からくる光を散乱や吸収するなどして弱め、地球温暖化を止めることを目的とした装置。
【請求項３】
地球の周りに何らかの物質を置いて、太陽光を弱め、地球温暖化を止めることを目的とした装置。
【請求項４】
地球と太陽の万有引力がつり合う位置に何らかの物質を置いて太陽光を弱め地球の温暖化を止めることを目的とした装置。
【請求項５】
何らかの物質を宇宙に置いて、地球に届く太陽の光を弱め、地球温暖化を止めることを目的とした装置。
【請求項６】
何らかの物質を宇宙において、太陽から地球にくる光を弱め、その弱め具合を調節して気温を調節することを目的とした装置。
【発明の詳細な説明】
【産業上の利用分野】
【０００１】  この発明は調光材を地球のまわりにとりつけた地球温暖化を止めることに関するものである。
【背景技術】
【０００２】  従来、▲１▼人工衛星を日傘がわりに使う技術▲２▼エアロゾルを地球の大気にまく技術があった。
【発明が解決しようとする課題】
【０００３】  これは、次のような欠点があった。
▲１▼農作物に与える影響が心配。
▲２▼大がかりだ。環境に与える影響が心配。
本発明はこれらの欠点を除くためになされたものである。
【問題を解決するための手段】
【０００４】  地球１の周りに調光材２を置きまわす。
本発明は、以上のような構成よりなる地球温暖化を止めることを目的とした装置である。
【作用】
【０００５】  地球１の周りに調光材２を置いてまわすと太陽３からくる光を弱めることができる。
【実施例】
【０００６】  以下、本発明の実施例について説明する。
地球１の周りに調光材２を置き、まわす。
【発明の効果】
【０００７】  本発明は以上のような構造で、これを使用するときは、地球１の周りに調光材２をまわして置き、太陽３から地球１に届く光を弱めることで、地球温暖化を止めることができる。
【図面の簡単な説明】
【図１】地球の上面図である。
【図２】地球の側面図である。
【図３】地球と太陽の図である。
【符号の説明】
１地球  ２調光材  ３太陽
＜使用するにあたって＞
ここから先は、本発明のものを作りたいという方向けに書いていきます。まず、従来の技術についてですが、▲２▼は環境に与える影響を心配するのはしょうがないと思いますが、大がかりだというのは、だったら小規模にやればいいじゃないかと思いますが、エアロゾルは、空気中に拡散していってしまうのでしょうか。▲１▼については、太陽と地球の間に置いておけば、雲とそれほど変わらない存在になると思うのですが、生物等に与える影響を心配したのでしょうか。
本発明はまわすことによって、遠心力を与え、材料に負荷がかかるのを防ぎましたが、材料が大丈夫ならそんなことをしなくてもいいかもしれません。
ここで、どうして生物が絶滅してはいけないかということを考えてみましょう。「高校生物の教科書」（ブルーバックス）によると、生物は、医薬品の開発や農作物の改良に使えるということです。でも、地球はみんなのものだし、もともと環境を悪化させたのは人間なのだから、生物を守るのは当然だと思います。人間が勝手に生物のことを決めてはいけないと思います。だから、この発明がうまくいって、うまく気温が調節できるようになったとしても、夏の冷房がわりにこの装置という使い方はやめましょう。また、この装置は、微妙なくるいが大きな影響を与える可能性があると思います。だから慎重に様子を見ながら使ってほしいと思います。
この装置で、特定の波長の光を遮断  ることができる可能性があります。カットしたいのは紫外線ではないかと思います。例えば、紫外線は、他の光にしか変えられなかったとしても、二重構造にして、その光を吸収してしまえば、結局は紫外線をカットしたのと同じことになります。いろいろな組み合わせを考えてほしいです。また、材料が状態変化するなら、放熱する技術が必要になってくるかもしれません。
【図１】
2010036879.tif 000003
【図２】
2010036879.tif 000004
【図３】
2010036879.tif 000005
(57)【要約】      （修正有）【課題】スキューバダイビングのフォームを水平に安定させ、スキューバダイビングのフォームで前面投影面積を小さくして、水の抵抗を少なくし、必要な空気の消費量を減少する。【解決手段】スキューバダイビング用の浮力装置（ＢＣＤ）７に、ワイヤー４に円形穴開きおもり６を通して両端に留め金５を設けた自動移動式水平安定装置を付ける。泳いでいる時に円形穴開きおもり６が肩から腰まで自動的に移動して重心の位置で停まる。泳いでいる時に水平になっているか、ウエートの移動位置によりわかりやすい。【選択図】図３
2010036873.tif 000002
【特許請求の範囲】
【請求項１】
スキューバダイビングに必要なウェートを、自動的に移動する事を備えて従来難しかった体を水平に安定させて泳ぐ事が出来る特徴のスキューバダイビングウェート。
【請求項２】
体を水平に安定させて泳ぐ事はスキューバダイビングのフォームにおいて前面投影面積を小さく水の抵抗を少なくするとスキューバダイビングに必要な空気の消費量を減少する事が出来る特徴のスキューバダイビングウェート。
【発明の詳細な説明】
【技術分野】
【０００１】本発明は、スキューバダイビングのウェートに関する。
【背景技術】
【０００２】スキューバダイビングのウェートは水中に体を沈めるために使用される。
図１に、従来のスキューバダイビングのウェートの斜視図を示す。
図１のスキューバダイビングウェートは、ベルト１とおもり２とバックル３から構成される。
ベルト１は、布製でおもり２を体に取り付けるために作られてある。
その片方にベルト１を腰に巻き、固定するバックル３が付いている。
おもり２は、ベルトに鉛や鉄を通して固定しやすい形になっている。
以上のウェートは次のようにして使用する。
ベルト１におもり２を通してバックル３で腰に巻いて固定する。
【発明の開示】
【発明が解決しようとする課題】
【０００３】以上のような従来のウェートには、次のような解決すべき課題があった。
１．ウェートは腰に巻いて固定するので一度固定するとはずすまで動かない。
２．スキューバダイビングで水平方向に泳ぐ時、体の重心は中心には無くウェートベルトの取り付け位置にある。
３．体の重心を中心に移動して水平に泳ぐ方法は難しく熟練を要する。
４．泳いでいる時に水平になっているか、泳いでいる本人にわかりずらい。
５．泳いでいる時に水平になっていないために前面投影面積が大きく水の抵抗が多い、スキューバダイビングに必要な空気の消費量を多くする。
【課題を解決するための手段】
【０００４】本発明は以上の点を解決するために、次のような構成を採用する。
〈構成１〉
ワイヤーに円形穴開きおもりを通して動くようにしてあり両端に取り付け金具で簡単に取り付く事が出来る、特徴とするスキューバダイビングウェート自動移動式水平安定装置。
〈構成２〉
スキューバダイビング用の浮力装置（ＢＣＤ）に簡単且つ安全に取り付けが出来る。
肩から腰まで自由に移動して重心の位置で停まる事を備えた特徴のあるスキューバダイビングウェート自動移動式水平安定装置。
〈構成３〉
泳いでいる時に水平になっているかウェートの移動位置によりわかりやすいという事を備えた特徴のスキューバダイビングウェート自動移動式水平安定装置。
〈構成４〉
水面休息の場合は重心が腰あたりになるが自動的に胸の位置から腰の位置に移動するスキューバダイビングウェート自動移動式水平安定装置。
〈構成５〉
体を水平に安定させて泳ぐ事がスキューバダイビングのフォームで前面投影面積を小さくして水の抵抗を少なく、スキューバダイビングに必要な空気の消費量を減少する。
【発明の効果】
【０００５】本発明のスキューバダイビングウェート自動移動式水平安定装置には次のような効果がある。
〈具体例と具体例２の共通の効果〉
１．スキューバダイビング用の浮力装置（ＢＣＤ）に簡単且つ安全に取り付けが出来る。
２．水面休息から水平方向に泳ぎだすだけで自動的に水平に安定した泳ぎが出来る。
３．水平方向から垂直方向に泳ぎだすだけで自動的に垂直に安定した泳ぎが出来る。
４．水平に安定した泳ぎが出来ているか自分で判断できる。
５．体を水平に安定させて泳ぐ事がスキューバダイビングのフォームで前面投影面積を小さくして水の抵抗を少なく、スキューバダイビングに必要な空気の消費量を減少する事が出来る。
【発明を実施するための最良の形態】
【０００６】以下、本発明を図の具体例を用いて詳細に説明する。
【実施例１】
【０００７】以下の説明で、実施例１は構成１に対応し、実施例２は構成２に対応する。
図２に、本発明のスキューバダイビングウェート自動移動式水平安定装置具体例斜視図を示す。
図２のスキューバダイビングウェート自動移動式水平安定装置はワイヤー４と留め金５と円形穴開きおもり６とスキューバダイビング用の浮力装置（ＢＣＤ）７から構成される。
ワイヤー４に円形穴開きおもり６を通して両端に留め金５を付ける。
以上のスキューバダイビングウェート自動移動式水平安定装置は次のようにして使用する。
図３のスキューバダイビング用の浮力装置（ＢＣＤ）７に留め金５で肩の部分と腰の部分にある留め金に固定する。
【実施例２】
【０００８】図３はスキューバダイビング浮力装置（ＢＣＤ）７にスキューバダイビングウェート自動移動式水平安定装置が取り付いている図示した。
肩から腰の部分までワイヤー４が留め金５で固定され円形穴開きおもり６が移動する。
このスキューバダイビングウェート自動移動式水平安定装置は左右２対で使用する。
重さの調整は円形穴開きおもりの枚数を増減して調整する。
【図面の簡単な説明】
【０００９】
【図１】従来のスキューバダイビングウェート斜視図を示す。
【図２】この発明のスキューバダイビングウェート自動移動式水平安定装置斜視図を示す。
【図３】この発明のスキューバダイビングウェート自動移動式水平安定装置がスキューバダイビング浮力装置（ＢＣＤ）に取り付けた具体例の斜視図を示す。
【符号の説明】
【００１０】１  ベルト
２  おもり
３  バックル
４  ワイヤー
５  留め金
６  円形穴開きおもり
７  スキューバダイビング用の浮力装置（ＢＣＤ）
【図１】
2010036873.tif 000003
【図２】
2010036873.tif 000004
【図３】
2010036873.tif 000005
(57)【要約】      （修正有）【課題】車両の燃費削減を実現し、排ガスの量を減らすことが緊急の課題であるが、特にトラック等の箱型では走行時の風圧の抵抗は避けられず、常に速度の保持にアクセルペダルを踏み続け風圧との闘いをしており、また世界中のジーゼルエンジンの燃料噴射ポンプと噴射ノズルの関係では現在以上の燃費削減は望めないので、別方式で車輌の燃費削減を実現し、排ガスの量を減すことを課題とする。【解決手段】走行時、常に回転力を増し加えながら回転してるプロペラシャフト８の回転を補足することにより燃費の削減を実現する。【選択図】図２
2010036878.tif 000002
【特許請求の範囲】
【請求項１】
車輌のプロペラシャフトハウジングとパーキングドラムの間に取付た歯車をトランスミッション後部に取付たモーターで、走行中常に回転してるプロペラシャフトの回転力を補足する装置
【請求項２】
集風ＢＯＸで集めた風を高圧にして風力発電に当て発電機を回し発電する発電機。
【請求項３】
トランスミッション後部のパーキングブレーキドラム側面に取付け、固定部にフィルドコイルを巻き、回転部にアマチュアコイルを巻き発電させる発電機。
【請求項４】
トランスミッションから取出してるスピートメーターワイヤー取付部品をＴ型に改良し回転ワイヤーを取付、補足モーターを回し、発電する発電機。
【発明の詳細な説明】
【技術の分野】
【０００１】本発明は、エンヂンの燃費削減と排気ガスによる地球気温の温暖化の原因であるＣＯ２の排出を抑制する装置である。
【背景技術】
【０００２】従来の、又は現在の車輌は、特に荷物を運ぶトラックは表面、又は側面の構造は、四角形の箱型で、走行中、常に前面から受ける風圧と後部に巻込む風の抵抗力に抗しなから走行してるものであるため常に走行中にアクセルペタルを踏み続けてるのが普通で当り前なのである。又、燃料噴射ポンプと、噴射ノズルの関係は現在、又は従来以上の技術革新は望めないものである。
【特許文献１】
【特許文献２】
【非特許文献１】
【非特許文献２】
【発明の開示】
【発明が解決しようとする課題】
【０００３】現在、世界的な原油価格の高騰により、毎日変る燃料価格の高騰で運送業界や船舶業界、ジーゼルエンヂンを使用する軌道車業界又、エンヂンを使用してる各業界は経営難に追い込まれ、少しでも燃費削減を迫まられてるのである。
又排気ガスのＣＯ２により地球温暖化はまさに地球滅亡寸前にまで迫ってるのである。
【課題を解決するための手段】
【０００４】本発明は、常に走度保持しながら走行し続ける車輌のプロペラシャフトの回転力を補足しアクセルペタルの踏込む角度を緩くし噴射ポンプが噴射ノズルに送油する油量を少なする事が可能にする装置である。
【発明の効果】
【０００５】トランスミッション後部に取付たモーターで、プロペラシャフトの回転力を補足することにより、燃費の削減に繋り、よって排気ガスの量を少なくすることにより、ＣＯ２排出抑制が出来るため、世界中で走り回ってる車輌が出す排気ガスの削減は膨大で地球温暖化防止に多大なる貢献が出来るものである。又、燃料１リットル当りの走行距離が伸び経済的にも計り知れない利益に繋るものである。
【発明を実施するための最良の形態】
【０００６】プロペラシャフト  ウジングとパーキングブレーキドラムの間に取付た歯車を回転補足モーターで回すため常時走行中に速度を保持するためアクセルペタルを踏込む角度を緩くする事が出来る。
【実施例】
【０００７】図２、図３、図４で示す通り、トランスミッション後部に取付るものでモーター取付金具（１６）と歯車（６）、モーター（５）で簡単に取付可能なのである。
【産業上の利用可能性】
【０００８】現在の車輌のエンヂンに取付てある燃料噴射ポンプと噴射ノズルとの関係は今が限界で燃費削減は不可能なのであるため、燃料１リットル当りの走行距離の伸びは、世界の経営者達に望まれてるものである。又、地球大気の温暖化抑制は人類、生命体全体の命のため、一刻も早い解決が望まれてるものである。
【図面の簡単な説明】
【０００９】
【図１】車輌側面図で運転台の屋根部に取付た集風ＢＯＸ（１）と車輌が走行中に受ける風圧（矢印）と集風ＢＯＸの内部壁（２）と風車発電機（４）と電電機の羽根部（３）と、全体図  集風ＢＯＸの拡大図（１）の内部壁（２）、発電気の羽根（３）で発電機（４）を回し発電し補足モーター（５）を回転させる図。
【図２】エンヂン（１１）とトランスミッション（１０）後部に取付た回転補足モーター（５）と、プロペラシャフトハウジング（９）とパーキングブレーキドラム（７）の間に取付た歯車（６）
【図３】パーキングブレーキドラム（７）の側面に取付た発電気（９）で発電して補足モーター（５）を回転させる図
【図４】トランスミッションから取出してるスピードメーターワイヤー取付部品（１３）をＴ型にして、取付た回転ワイヤー（１４）で発電気（１５）を回し発電し回転補足モーターを回す図。
【符号の説明】
【００１０】（１）、集風ＢＯＸ                （１１）エンヂン
（２）集風ＢＯＸ内部の科め壁、    （１２）スピードメーター
（３）風力発電機羽根              （１３）Ｔ型スピードメーター取付部品、（改良）
（４）風力発電機                  （１４）発電気回転用ワイヤー
（５）回転補足モーター            （１５）発電機
（６）回転補足歯車                （１６）回転補足モーター取付金具
（７）パーキングブレーキドラム    （１７）スピードメーターワイヤー
（８）プロペラシャフト
（９）プロペラシャフトハウジング、
（１０）トランスミッション
【図１】
2010036878.tif 000003
【図２】
2010036878.tif 000004
【図３】
2010036878.tif 000005
【図４】
2010036878.tif 000006
(57)【要約】【課題】石油資源の消費をおさえ、ＣＯ２の削減や地球温暖化などの公害問題を解決するために、充電時間が短く走行距離のながい効率の良い電気自動車の普及が必要である。【解決手段】動力の為でなく、充電の為だけのエンジンで発電機を回して、バッテリ−に充電して電気モ−タ−を動力とするもの。【選択図】図１
2010036876.tif 000002
【特許請求の範囲】
【請求項１】
動力化せず充電のためだけのエンジンによって、発電機を回し充電して、電気モ−タ−で動く電気自動車。及びその方式を用いた全ての電気自動車。
【発明の詳細な説明】
【技術分野】
【０００１】    この発明は、エンジンによって発電し充電して動く電気自動車に関する。
【背景技術】
【０００２】    従来の電気自動車は、電源をコンセントからとるものである。
【発明の開示】
【発明が解決しようとする課題】
【０００３】    しかしながら充電に時間がかかり走行距離も短い。そこで、この発明は、充電に手間がかからず走行距離も長くできることを課題とする。
【課題を解決するための手段】
【０００４】    以上の課題を解決するために、エンジンを動力とせずに充電のためだけに使用し、一個あるいは複数の発電機でバッテリ−に充電して電気モ−タ−を動力とする電気自動車である。
【発明の効果】
【０００５】    充電のためにだけのエンジンを使用し常時充電するため、充電のための時間を必要とせず走行距離も長く走り続けることが出来る。また、小さなエンジンですむため、燃料消費も少なくＣＯ２の削減や地球温暖化などの解消にも役立つものである。
【発明を実施するための最良の形態】
【０００６】    この発明の一実施形態を、図１に示す。
発電だけのためのエンジン１の回転で発電機２を回し、その発電された電気をバッテリ−３に充電し、その充電された電気によりモ−タ−４を回し、ミッション等５を通じてタイヤに駆動する。
【実施形態の効果】
【０００７】    この実施形態によれば、小さなエンジンですむため燃料消費も少なく、ＣＯ２の削減や地球温暖化の公害問題の解消にもつながる。また、構造も簡単なためコストも少なく大量に生産でき、この電気自動車の普及にもつながる。また、充電時間も気にせず、長時間走行できる。
【図面の簡単な説明】
【０００８】
【図１】この発明の一実施形態を示す斜視図である。
【符号の説明】
１発電のためだけのエンジン
２発電機
３バッテリ−
４モ−タ−
５ミッション等
【図１】
2010036876.tif 000003
(57)【要約】      （修正有）【課題】そば、素麺などの麺類を小分けに盛り付けるさいに、使用するもので、麺類を食べやすく、見栄えを良く、麺類を小分けに盛り付けができるように、それを素早く簡単に美しく巻き取ることができる、麺類の盛り付け用巻取り具を提供する。【解決手段】軸棒１の一端に、数本の棒状の巻き付け棒５を放射状に設け、その巻き付け棒５は広がり方を自在に固定できる材質である麺類の盛り付け用巻取り具。【選択図】図６
2010036018.tif 000002
【特許請求の範囲】
【請求項１】
軸棒（１）の一端に、数本の棒状の巻き付け棒（５）を放射状に設け、その巻き付け棒（５）は広がり方を自在に固定できる材質であることを特徴とする、麺類の盛り付け用巻取り具。
【発明の詳細な説明】
【技術分野】
【０００１】  本発明は、そば、素麺などの麺類を小分けに盛り付けるさいに使用するもので、麺類を食べやすく、見栄えを良く、麺類を小分けに盛り付けができるように工夫したもので、それを素早く簡単に美しく巻き取ることができる、麺類の盛り付け用巻取り具に関するものである。
【背景技術】
【０００２】  従来、そば、素麺など、まとめてザルにあげたり、氷水につけた状態で盛り付けていた。
また、一口分、または、つけ汁の小鉢に入れるのにちょうど良い量に小分けして盛り付けたりした。
【発明の開示】
【発明が解決しようとする課題】
【０００３】  そのために、以下のような場合には不便であった。
（イ）ザルにあげる盛り付け方法だと、でき上がってから食べるまでに時間がかかると、    麺同士がくっついてしまい、ちょうど良い量を取ることが難しかった。
また、麺が途中で切れてしまうこともあった。
（ロ）氷水につけた場合でも、時間がたちすぎると、麺が水を含んで味が落ちてしまう。
（ハ）一口、または一回分の量で小分けして盛り付けると、見栄えも良く、麺も取りやす    いが、手で形良く巻き取ることが難しかった。
本発明は、これらの題点を解決するためになされたものである。
【課題を解決するための手段】
【０００４】  軸棒（１）の一端に巻き付け部（２）を設ける。
巻き付け部（２）に数本の棒状の巻き付け棒（５）を放射状に設ける。
巻き付け棒（５）は、広がり方を自在に固定できる材質のものにする。
以上のように構成された麺類の盛り付け用巻取り具。
【発明の効果】
【０００５】  本発明品を、そば、素麺などを茹であげ水で洗ったさいに、巻き付け棒（５）の広がりかたを自在に固定することによって、巻きつく量を調整し、簡単にきれいに麺を巻き上げ、皿に盛り付けることができる。
【発明を実施するための最良の形態】
【０００６】  以下、本発明の実施の形態について説明する。
本発明は、軸棒（１）の一端に巻き付け部（２）を設ける。
軸棒（１）から数本の巻き付け棒（５）を放射状に広がるように結合する。
その巻き付け棒（５）は、一定の力を加えると可動するが、それより弱い力だと形状が維持されるような針金のような材質を使い、巻き付け部（２）の広がり方を自在に設定できる構造にしている。
巻き付け部（２）の広がり方を調整することで、麺（４）の巻き付ける量を加減することができる。
図６に示すように、麺類の盛り付け用巻取り具を手（３）に持つときには、軸棒（１）の一方を手のひらに当て、親指と人差し指で軸棒（１）を回転させると、巻き付け部（２）も回転され、簡単に麺（４）を巻き取ることができる。
図５に示すように、軸棒（１）を多角形にすると、指先で滑らず回転しやすい。
この軸棒（１）にゴム、シリコンなど、滑り止めの素材をつけると、さらに指先で回転させやすい。
巻き付け棒（５）の数は、２本以上とする。
また、巻き付け部（２）は、少量の麺もひっかけることができるので、乾麺の茹で加減を見るときに便利である。
図７に示すように、巻き付け棒（５）の形状は、凹凸を持たせたり、湾曲させたりすることも可能である。
【図面の簡単な説明】
【０００７】
【図１】  本発明の側面図である。
【図２】  本発明の側面図である。
【図３】  本発明の断面図である。
【図４】  本発明の軸棒側から見た正面図である。
【図５】  本発明の軸棒側から見た軸棒の実施例の正面図である。
【図６】  本発明の使用方法を示した斜視図である。
【図７】  本発明の巻き付け棒の実施例を示した説明図である。
【符号の説明】
【０００８】      １  軸棒
２  巻き付け部
３  手
４  麺
５  巻き付け棒
【図１】
2010036018.tif 000003
【図２】
2010036018.tif 000004
【図３】
2010036018.tif 000005
【図４】
2010036018.tif 000006
【図５】
2010036018.tif 000007
【図６】
2010036018.tif 000008
【図７】
2010036018.tif 000009
(57)【要約】【課題】従来、下肢の膝とつま先が同方向を向いているニュートラルポジションの動的アライメントは、人の目視観察により行っていましたが、従来の目視観察は観察者の経験技術などにより動的アライメントの評価基準が曖昧で説得力に問題がありました。【解決手段】下肢のアライメントは、膝とつま先が同方向を向いていることがアライメント上重要なので、大腿骨頭部と足の第二足指部をむすぶ線に紐で実際の線を作り基準線として、この紐を軸にして膝関節の屈曲動作で膝の向きに対して膝面上で転がり回動するマーカーを設けて、当該マーカーの回転角度を読んで下肢の動的アライメントを測定する。【選択図】図３
2010036014.tif 000002
【特許請求の範囲】
【請求項１】
大腿骨頭部と第二足指部に掛け渡す弾発性の紐に立脚膝面上を転がる回動マーカーを上下調節自在に設けた、下肢荷重線に対する膝の動的アライメント測定器具。
【発明の詳細な説明】
【発明の詳細な説明】
【技術分野】
【０００１】本発明は膝とつま先が同方向を向いているニュートラルポジションの動的なアライメントの測定に関する。
【背景技術】
【０００２】従来、下肢の膝とつま先が同方向を向いている、ニュートラルポジションの動的アライメントは、人の目視観察により行っていた。
【発明の開示】
【発明が解決しようとする課題】
【０００３】従来の目視観察では、観察者の経験技術などにより動的アライメントの評価基準が定まらず再現性に問題がありました。
【課題を解決するための手段】
【０００４】下肢のアライメントは膝とつま先が同方向を向いていることが重要なので、大腿骨頭部と足の第二足指部をむすぶ線に紐で実際の線を作り基準線として、この紐を軸にして膝関節の屈曲動作で膝の向きに対して膝面上で転がり回動するマーカーを設けて、当該マーカーの回転角度を読んで動的アライメントを測定する。
【発明の効果】
【０００５】自身で動的下肢アライメントの判定ができる。
【発明を実施するための最良の形態】
【０００６】
【実施例】
【０００７】丸ゴム紐状２の上端部に衣服を挟むピンチ３を設けて、下端部につま先に嵌め環４を作り、ゴム紐２の中央部に膝頭に当たるスポンジ状の回動マーカー１設ける。上端部のピンチ３を骨盤に大腿骨が嵌る大腿骨頭付近の衣服に挟んで、ゴム紐２の下端部の環４をつま先の第二足指付近に嵌めて、ゴム紐２を下肢荷重線に添わせる。回動マーカー１を上下させて膝頭面に合わせ接触させる、当該の膝を曲げていくと正常なニュートラルアライメントならば回動マーカー１は回転しないが、膝がつま先方向に対して内側や外側を向く異常アライメントならば回動マーカー１は下肢荷重線から外れて回転するので、回動マーカー１の回転方向と回転角度を知れば動的なアライメントの状態を知ることができる。
【図面の簡単な説明】
【０００８】
【図１】本発明の正面断面図
【図２】使用時の正面断面図
【図３】使用時の側面断面図
【符号の説明】
【０００９】１・・・回動マーカー  ２・・・ゴム紐  ３・・・ピンチ  ４・・・環
【図１】
2010036014.tif 000003
【図２】
2010036014.tif 000004
【図３】
2010036014.tif 000005